(57)【要約】      （修正有）【課題】収納部を具備し、様々な種類の収納物を収納部に収納した状態で持ち運ぶように用いられる鞄（ポーチ）に関して、旅行先において脱衣した使用後の衣類（シャツ、靴下、また、下着等）のように収納物が洗濯の対象となる物である場合に、収納物を洗濯する作業を容易に行うことができる鞄を提供する。【解決手段】収納物を収納する収納部１５を内部に備え、メッシュ生地で構成される、鞄１とし、収納物を収納部に収納した状態で洗濯した後に、その状態で干して乾かすことができる構造とする。また、収納部を二分割した仕切部１６を設け、分別収納を可能とする。【選択図】図３
0003182837.tif 000002
【実用新案登録請求の範囲】
【請求項１】
収納物を収納する収納部を内部に備え、メッシュ生地で構成される、鞄。
【請求項２】
前記内部を二分割して前記収納部が二個形成されるように配置される仕切部を備える、
請求項１に記載の鞄。
【請求項３】
前記仕切部は、弛みを有するように構成される、
請求項１または請求項２に記載の鞄。
【請求項４】
二個の開閉部を備え、
前記二個の開閉部のうちいずれか一方の開閉部が前記二個の収納部のうちいずれか一方の収納部の開口部を開閉し、前記二個の開閉部のうちいずれか他方の開閉部が前記二個の収納部のうちいずれか他方の収納部の開口部を開閉するように構成される、
請求項１から請求項３のうちいずれか一項に記載の鞄。
【請求項５】
抗菌防臭加工が施されて構成される、
請求項１から請求項４のうちいずれか一項に記載の鞄。
【請求項６】
前記収納物を収納するカバー収納部を有し、着脱可能に構成される、カバーを備える、
請求項１に記載の鞄。
【請求項７】
前記カバーを取外して、長手方向両端を合わせるように二つ折りにし状態で保持可能に構成される、
請求項６に記載の鞄。
【請求項８】
メッシュ生地で構成され、収納物を収納する収納部の収納容積が異なる複数個の鞄を具備し、
前記収納部の収容容積の小さい鞄が前記収納部の収容容積の大きい鞄の収納部に収納可能に構成される、鞄。
【考案の詳細な説明】
【技術分野】
【０００１】
本考案は、鞄の技術に関する。
【背景技術】
【０００２】
従来、鞄に関する技術は種々知られている（特許文献１参照）。
前記鞄は、収納部を具備し、様々な種類の収納物を収納部に収納した状態で持ち運ぶように用いられる。前記鞄には、例えば、旅行において衣類を収納物として収納部に収納した状態で持ち運ぶように用いられるポーチがある。
旅行において、前記鞄に収納される収納物には、衣類（シャツ、靴下、また、下着）や、アメニティグッズ（コンタクトレンズケース、整髪料、綿棒、コットン、洗髪料、洗顔料、また、髭剃り等）等がある。
【先行技術文献】
【特許文献】
【０００３】
【特許文献１】実開平６−５７２２４号公報
【考案の概要】
【考案が解決しようとする課題】
【０００４】
しかしながら、前記鞄では、例えば、旅行先において脱衣した使用後の衣類のように、洗濯の対象となる収納物を収納部に収納する場合がある。
そして、前記鞄では、このように収納物が洗濯の対象となる物である場合には、収納部から取出して当該収納物を洗濯する必要があり、収納物を洗濯する作業が煩わしいものであった。
【０００５】
本考案は以上の如き状況に鑑みてなされたものであり、旅行先において脱衣した使用後の衣類のように、収納物が洗濯の対象となる物である場合に、収納物を洗濯する作業を容易に行うことができる鞄を提供することを課題とする。
【課題を解決するための手段】
【０００６】
本考案の解決しようとする課題は以上の如くであり、次にこの課題を解決するための手段を説明する。
【０００７】
即ち、請求項１においては、収納物を収納する収納部を内部に備え、メッシュ生地で構成される、鞄としたものである。
【０００８】
請求項２においては、前記内部を二分割して前記収納部が二個形成されるように配置される仕切部を備えるものである。
【０００９】
請求項３においては、前記仕切部は、弛みを有するように構成されるものである。
【００１０】
請求項４においては、二個の開閉部を備え、前記二個の開閉部のうちいずれか一方の開閉部が前記二個の収納部のうちいずれか一方の収納部の開口部を開閉し、前記二個の開閉部のうちいずれか他方の開閉部が前記二個の収納部のうちいずれか他方の収納部の開口部を開閉するように構成されるものである。
【００１１】
請求項５においては、抗菌防臭加工が施されて構成されるものである。
【００１２】
請求項６においては、前記収納物を収納するカバー収納部を有し、着脱可能に構成される、カバーを備えるものである。
【００１３】
請求項７においては、前記カバーを取外して、長手方向両端を合わせるように二つ折りにし状態で保持可能に構成されるものである。
【００１４】
請求項８においては、メッシュ生地で構成され、収納物を収納する収納部の収納容積が異なる複数個の鞄を具備し、
前記収納部の収容容積の小さい鞄が前記収納部の収容容積の大きい鞄の収納部に収納可能に構成される、鞄としたものである。
【考案の効果】
【００１５】
本考案の効果として、以下に示すような効果を奏する。
【００１６】
即ち、本考案によれば、収納物を洗濯する作業を容易に行うことができる。
【図面の簡単な説明】
【００１７】
【図１】本考案の実施形態に係る鞄の全体的な構成を示した斜視図。
【図２】同じく鞄の全体的な構成を示した底面図。
【図３】同じく鞄の全体的な構成を示した側面図。
【図４】同じく鞄の全体的な構成を示した斜視図。
【図５】同じく鞄の全体的な構成を示した正面図。
【図６】同じく鞄の全体的な構成を示した側面図。
【図７】同じく鞄の全体的な構成を示した平面図。
【図８】同じく鞄の全体的な構成を示した正面図。
【図９】同じく鞄のケースを取外した状態を示した正面図。
【図１０】同じく鞄のケースを示した正面図。
【図１１】同じく鞄の全体的な構成を示した正面図。
【図１２】同じく鞄の全体的な構成を示した背面図。
【図１３】同じく鞄のケースを取外して二つ折りにした状態を示した正面図。
【図１４】同じく鞄が具備する複数個の鞄を示した図。
【考案を実施するための形態】
【００１８】
次に、図１乃至図４に示す鞄１について説明する。
【００１９】
鞄１は、例えば、旅行において収納物を収納した状態で持ち運ぶように用いられる鞄（ポーチ）である。
鞄１に収納される収納物には、衣類（シャツ、靴下、また、下着）や、アメニティグッズ（コンタクトレンズケース、整髪料、綿棒、コットン、洗髪料、洗顔料、また、髭剃り等）等がある。
【００２０】
鞄１は、図１乃至図４に示すように、前胴１０と、後胴１１と、一対の横マチ１２と、天マチ１３と、底マチ１４と、を備えて構成される。
鞄１は、前胴１０、後胴１１、一対の横マチ１２、天マチ１３、および、底マチ１４、で囲まれる空間（鞄１の内部）に収納部１５を備えて構成される。鞄１の収納部１５は、収納物を収納するように構成される。
鞄１は、その生地が洗濯可能なメッシュ生地（ウレタンメッシュ素材）で構成される。
【００２１】
以上のように、収納物を収納する収納部１５を内部に備え、メッシュ生地で構成される、鞄１では、メッシュ生地で構成されることから、収納物が脱衣した使用後の衣類のように洗濯対象となる物である場合に、収納物を収納部１５に収納した状態で（収納部１５から取出すことなく）洗濯することができる。
したがって、鞄１によれば、収納物を洗濯する作業を容易に行うことができる。
また、鞄１によれば、メッシュ生地で構成されることから、収納物を収納部１５に収納した状態で洗濯した後に、収納物を収納部１５に収納した状態で（収納物を鞄１とともに）干して乾かすこともできる。
【００２２】
鞄１は、その内部に、仕切部１６と、二個の収納部１５と、を備えて構成される。
鞄１の仕切部１６は、洗濯可能なメッシュ生地で構成される。
鞄１の仕切部１６は、鞄１の内部を二分割して収納部１５が二個形成されるように配置される。
鞄１は、その内部を二分割するように仕切部１６が配置されることによって、収納部１５が二個形成されるように構成される。
このように、鞄１の内部を二分割して収納部１５が二個形成されるように配置される仕切部１６を備える、鞄１によれば、収納物が脱衣した使用後の衣類（脱衣した衣類）と使用前の衣類（着衣する前の衣類）とである場合に、使用後の収納物と使用前の収納物とを二個の収納部１５のうちいずれか一方また他方に収納することによって分別して収納することができる。
【００２３】
鞄１の仕切部１６は、鞄１の内部において、弛みを有するように構成される。
このように、仕切部１６が弛みを有するように構成される、鞄１によれば、二個の収納部１５のそれぞれに収納される収納物の量また収納物の大きさ等に偏りがある場合においても、仕切部１６が弛みを有するため、量の多いまた大きさの大きい収納物を収納部１５に収納することができる。
【００２４】
鞄１は、鞄１を構成する生地に抗菌防臭加工が施されて構成される。
このように、抗菌防臭加工が施されて構成される、鞄１によれば、収納物が脱衣した使用後の衣類（脱衣した衣類）である場合においても、収納部１５に収納された収納物に付着した菌類が増殖すること、また、収納部１５に収納された収納物から悪臭が生じること、を抑制することができる。
【００２５】
鞄１は、二個の開口部１９と、二個の接続部材１８と、二個の開閉部１７と、を備えて構成される。
鞄１の二個の開口部１９は、二個の収納部１５に開口するようにそれぞれ構成される。鞄１は、開口部１９から収納部１５に収納物を収納するように構成される。
鞄１の二個の接続部材１８は、線ファスナで構成される。鞄１の二個の接続部材１８は、これが操作されることによって、一対の横マチ１２および天マチ１３と前胴１０、また、一対の横マチ１２および天マチ１３と後胴１１と、を接続また分離するようにそれぞれ構成される。
鞄１の二個の開閉部１７は、二個の開口部１９を開閉するようにそれぞれ構成される。鞄１の二個の開閉部１７は、前胴１０また後胴１１としてそれぞれ構成される。鞄１の二個の開閉部１７は、底マチ１４に連接されてそれぞれ構成される。鞄１の二個の開閉部１７は、接続部材１８を介して一対の横マチ１２および天マチ１３に接続されるようにそれぞれ構成される。
鞄１は、二個の接続部材１８のうちいずれか一方の接続部材１８が操作されることによって、二個の開閉部１７のうちいずれか一方の開閉部１７が二個の収納部１５のうちいずれか一方の収納部１５の開口部１９を開閉するように構成される。
鞄１は、二個の接続部材１８のうちいずれか他方の接続部材１８が操作されることによって、二個の開閉部１７のうちいずれか他方の開閉部１７が二個の収納部１５のうちいずれか他方の収納部１５の開口部１９を開閉するように構成される。
【００２６】
以上のように、鞄１では、二個の開閉部１７を備え、二個の開閉部１７のうちいずれか一方の開閉部１７が二個の収納部１５のうちいずれか一方の収納部１５の開口部１９を開閉し、二個の開閉部１７のうちいずれか他方の開閉部１７が二個の収納部１５のうちいずれか他方の収納部１５の開口部１９を開閉するように構成される鞄１では、二個の収納部１５の開口部１９を二個の開閉部１７によってそれぞれ開閉することができ、二個の収納部１５のうちいずれの収納部１５にも収納物を収納する作業、また、二個の収納部１５のうちいずれの収納部１５からも収納物を取出す作業を容易に行うことができる。
【００２７】
次に、図５乃至図７に示す鞄１について説明する。
なお、図５乃至図７に示す鞄１の説明では、図１乃至図４に示す鞄１と同様の構成の部分については適宜省略し、図１乃至図４に示す鞄１の構成と異なる部分を中心に説明する。
【００２８】
鞄１は、図５乃至図７に示すように、前胴２０と、後胴２１と、一対の横マチ２２と、底マチ２３と、を備えて構成される。
鞄１は、前胴２０、後胴２１、一対の横マチ２２、および、底マチ２３、で囲まれる空間（鞄１の内部）に収納部２４を備えて構成される。
鞄１は、その生地が洗濯可能なメッシュ生地（ウレタンメッシュ素材）で構成される。
鞄１は、鞄１を構成する生地に抗菌防臭加工が施されて構成される。
鞄１は、その内部に仕切部２５と二個の収納部２４とを備えるとともに、二個の開口部２７と一個の接続部材２６とを備えて構成される。
【００２９】
鞄１の仕切部２５は、鞄１の内部において、弛みを有するように構成される。
鞄１の接続部材２６は、これが操作されることによって、前胴２０と後胴２１とのそれぞれの一部（前胴２０の上端と後胴２１の上端と）を接続また分離するようにそれぞれ構成される。
鞄１は、接続部材２６が操作されることによって、二個の収納部２４のいずれの開口部２７も開閉するように構成される。
【００３０】
次に、図８乃至図１３に示す鞄１について説明する。
なお、図８乃至図１３に示す鞄１の説明では、図１乃至図７に示す鞄１と同様の構成の部分については適宜省略し、図１乃至図７に示す鞄１の構成と異なる部分を中心に説明する。
【００３１】
鞄１は、例えば、旅行をするにあたってアメニティグッズ（収納物）を収納した状態で持ち運ぶように用いられる鞄（アメニティポーチ）である。
鞄１は、その生地が洗濯可能なメッシュ生地（ウレタンメッシュ素材）で構成される。
鞄１は、鞄１を構成する生地に抗菌防臭加工が施されて構成される。
鞄１は、図８乃至図１２に示すように、本体３０と、二個のポケット３１と、二個の収納部３２と、二個の接続部材３３と、二個の開口部３４と、持ち手３５と、一対のボタン３６（雄ボタン）と、カバー４０と、を備えて構成される。
【００３２】
鞄１の本体３０は、長手方向が上下方向とされる正面視長方形に構成される。
鞄１の二個のポケット３１は、本体３０の前面の上部と下部とにそれぞれ配置される。鞄１の二個のポケット３１は、その両側端および下端が本体３０の前面にそれぞれ連接されて構成される。
鞄１の二個の収納部３２は、二個のポケット３１内の空間でそれぞれ構成される。
鞄１の二個の開口部３４は、二個のポケット３１の上端内側（ポケット３１の上端と本体３０の前面との間）でそれぞれ構成される。
鞄１の二個の接続部材３３は、これがそれぞれ操作されることによって、本体３０の前面と二個のポケット３１の上端とを接続また分離するようにそれぞれ構成される。
鞄１は、二個の接続部材３３のうちいずれか一方の接続部材３３が操作されることによって、二個の収納部３２のうちいずれか一方の収納部３２の開口部３４を開閉するように構成される。
鞄１は、二個の接続部材３３のうちいずれか他方の接続部材３３が操作されることによって、二個の収納部３２のうちいずれか他方の収納部３２の開口部３４を開閉するように構成される。
鞄１の持ち手３５は、布製素材で構成され、本体３０の上端に設けられる。
鞄１の一対のボタン３６（雄ボタン）は、本体３０の上端部左右にそれぞれ設けられる。
【００３３】
鞄１のカバー４０は、前胴４１と、後胴４２と、一対の横マチ４３と、底マチ４４と、かぶせ帯４５と、カバー収納部４６と、カバーポケット４７と、一対の線ファスナ４８と、一対のボタン４９（雌ボタン）と、フック５０と、カバー持ち手５１と、を有して構成される。
鞄１のカバー４０は、後胴４２の上端からかぶせ帯４５が延出するように構成される。
鞄１のカバー４０は、前胴４１、後胴４２、一対の横マチ４３、底マチ４４、および、かぶせ帯４５、で囲まれる空間にカバー収納部４６を備えて構成される。
【００３４】
鞄１におけるカバー４０のカバー収納部４６は、収納物を収納するように構成される。
鞄１におけるカバー４０のカバーポケット４７は、前胴４１の前面に配置される。カバー４０のカバーポケット４７は、その両側端および下端が前胴４１の前面にそれぞれ連接されて構成される。
鞄１におけるカバー４０の一対の線ファスナ４８は、これが操作されることによって、かぶせ帯４５の一部が前胴４１の前方に位置するとともに一対の横マチ４３および底マチ４４とかぶせ帯４５とを接続し、また、一対の横マチ４３および底マチ４４とかぶせ帯４５とを分離するように構成される。
鞄１におけるカバー４０の一対のボタン４９（雌ボタン）は、かぶせ帯４５の延出方向端部の内側に左右にそれぞれ設けられる。カバー４０のボタン４９（雌ボタン）は、本体３０のボタン３６（雄ボタン）に留めることができるように構成される。カバー４０は、カバー４０の一対のボタン４９（雌ボタン）を本体３０の一対のボタン３６（雄ボタン）に留める、また、外すことによって、鞄１に着脱可能に構成される。
鞄１におけるカバー４０のフック５０は、鞄１（カバー４０）を掛けるときに用いるものであり、かぶせ帯４５の延出方向端部の内側に設けられる。
鞄１におけるカバー４０のカバー持ち手５１は、かぶせ帯４５の外側に設けられる。
【００３５】
鞄１のカバー４０は、カバー４０の一対のボタン４９（雌ボタン）を本体３０の一対のボタン３６（雄ボタン）に留めて、カバー４０のカバー収納部４６に本体３０の下部を配置した状態で、カバー４０の一対の横マチ４３および底マチ４４とかぶせ帯４５とを接続することによって、鞄１を囲むように構成される。
鞄１は、カバー４０の一対のボタン４９（雌ボタン）を本体３０の一対のボタン３６（雄ボタン）に留めて、カバー４０の一対の横マチ４３および底マチ４４とかぶせ帯４５とを分離した状態として、カバー４０のフック５０を所定の場所に引掛けることによって、掛けることができるように構成される。
【００３６】
以上のように、収納物を収納するカバー収納部４６を有し、着脱可能に構成される、カバー４０を備える、鞄１では、例えば、カバー４０のカバー収納部４６にアメニティグッズのうち浴室内で使用しないもの（コンタクトレンズケース、整髪料、綿棒、また、コットン等）を収納し、且つ、収納部３２に例えば、アメニティグッズのうち浴室内で使用するもの（洗髪料、洗顔料、また、髭剃り等）を収納するように用いる。そして、鞄１では、例えば、カバー４０が取付けられた状態で脱衣場まで持っていき、脱衣場でカバー４０を取外して、当該カバー４０が取外されたものを浴室内に持っていくようにして（バスポーチとして）、用いることができる。
このように、鞄１によれば、濡れてはいけない収納物また濡れる必要の無い収納物をカバー４０のカバー収納部４６に収納し、濡れても良い収納物を収納部３２に収納して、濡れてはいけない収納物また濡れる必要の無い収納物と、濡れても良い収納物と、を分別して収納するように用いることができる。
【００３７】
鞄１は、輪部材３８とボタン部材３９とを有する留め具３７を備えて構成される。
鞄１の留め具３７の輪部材３８は、本体３０の上端（長手方向の一端）に配置される。
鞄１の留め具３７のボタン部材３９は、本体３０の下端（長手方向の他端）に配置され、輪部材３８に掛けることができるように構成される。
鞄１は、カバー４０を取外した状態にして、本体３０の長手方向両端を合わせるように二つ折りにし、留め具３７を留める（留め具３７のボタン部材３９を輪部材３８に掛ける）ことによって前記二つ折りにした状態で保持可能に成される（図１３参照）。
【００３８】
このように、カバー４０を取外して、長手方向両端を合わせるように二つ折りにし状態で保持可能に構成される、鞄１によれば、コンパクトにした状態（折り畳んで状態）を保持することができ、持ち運びを容易に行うことができる。
【００３９】
次に、図１４に示す鞄１について説明する。
なお、図１４に示す鞄１の説明では、図１乃至図１３に示す鞄１と同様の構成の部分については適宜省略し、図１乃至図１３に示す鞄１の構成と異なる部分を中心に説明する。
【００４０】
鞄１は、収納部１５・２４・３２の収納物を収納する収納容積が異なる四個（複数個）の鞄１を具備する。
以下において、四個の鞄１のうち、収納部１５・２４・３２の収納容積が最も大きいものを大鞄１Ｌと、次に収納部の収納容積が最も大きいものを中鞄１Ｍ、次に収納部の収納容積が最も大きいものを小鞄１Ｓ、収納部の収納容積が最も小さいものをアメニティ鞄１Ａと、それぞれ称して説明する。
【００４１】
四個の鞄は、それぞれ、メッシュ生地で構成され、収納部１５・２４・３２を備えて構成される。
鞄１の大鞄１Ｌは、図１乃至図４に示す鞄１と同一の構成とされる。大鞄１Ｌは、例えば、２０枚分の春夏用の衣類を収納可能に構成される。
鞄１の中鞄１Ｍは、図１乃至図４に示す鞄１と同一の構成であって、大鞄１Ｌよりも小型に構成される。中鞄１Ｍは、例えば、１０枚分の春夏用の衣類を収納可能に構成される。
鞄１の小鞄１Ｓは、図５乃至図７に示す鞄１と同一の構成とされる。小鞄１Ｓは、例えば、３または４セット分の下着類を収納可能に構成される。
鞄１のアメニティ鞄１Ａは、図８乃至図１３に示す鞄１と同一の構成とされる。アメニティ鞄１Ａは、アメニティグッズを収納するように用いられる。
鞄１は、中鞄１Ｍ、小鞄１Ｓ、および、アメニティ鞄１Ａが大鞄１Ｌの収納部１５に収納されるように構成される。
【００４２】
以上のように、メッシュ生地で構成され、収納物を収納する収納部１５・２４・３２の収納容積が異なる複数個の鞄１を具備し、収納部１５・２４・３２の収容容積の小さい鞄（中鞄１Ｍ、小鞄１Ｓ、および、アメニティ鞄１Ａ）が収納部１５の収容容積の大きい鞄（大鞄１Ｌ）の収納部１５に収納可能に構成される、鞄１（例えば、大鞄１Ｌ、中鞄１Ｍ、小鞄１Ｓ、または、カバー４０が取外された状態のアメニティ鞄１Ａ）では、メッシュ生地で構成されることから、収納物が脱衣した使用後の衣類のように洗濯対象となる物である場合に、収納物を収納部に収納した状態で洗濯することができる。
したがって、鞄１によれば、収納物を洗濯する作業を容易に行うことができる。
また、鞄１（例えば、大鞄１Ｌ、中鞄１Ｍ、小鞄１Ｓ、または、カバー４０が取外された状態のアメニティ鞄１Ａ）によれば、メッシュ生地で構成されることから、収納物を収納部１５・２４・３２に収納した状態で洗濯した後に、収納物を収納部１５・２４・３２に収納した状態で（収納物を鞄１とともに）干して乾かすこともできる。
さらに、鞄１によれば、収納物を収納する収納部１５・２４・３２の収納容積が異なる複数個の鞄１を具備し、収納部１５・２４・３２の収容容積の小さい鞄１が収納部１５・２４・３２の収容容積の大きい鞄１の収納部１５に収納可能に構成されることから、複数個（三個）の鞄（中鞄１Ｍ、小鞄１Ｓ、および、アメニティ鞄１Ａ）を一つの鞄（大鞄１Ｌ）の収納部１５に収納することによって、複数個の鞄１からなるものであっても持ち運びを容易に行うことができる。
【符号の説明】
【００４３】
１  鞄
１０  前胴
１１  後胴
１２  横マチ
１３  天マチ
１４  底マチ
１５  収納部
１６  仕切部
１７  開閉部
１８  接続部材
１９  開口部
【図１】
0003182837.tif 000003
【図２】
0003182837.tif 000004
【図３】
0003182837.tif 000005
【図４】
0003182837.tif 000006
【図５】
0003182837.tif 000007
【図６】
0003182837.tif 000008
【図７】
0003182837.tif 000009
【図８】
0003182837.tif 000010
【図９】
0003182837.tif 000011
【図１０】
0003182837.tif 000012
【図１１】
0003182837.tif 000013
【図１２】
0003182837.tif 000014
【図１３】
0003182837.tif 000015
【図１４】
0003182837.tif 000016